(57)【要約】【課題】調光レベルを調節する際の作業性の向上を図ること。【解決手段】照明器具１は、光源２と、光源２の調光制御を行う制御部と、光源２及び制御部を収容する円筒形状の筐体４と、を備える。筐体４は、円筒形状の第１筒体４１と、円筒形状の第２筒体４２と、を有する。第１筒体４１は、その第１端に光源２の光を出射する出射口４１０を有する。第２筒体４２は、第１筒体４１の第２端において、第１筒体４１の中心軸Ａ１を回転軸として第１筒体４１に回転可能に取り付けられている。制御部は、第２筒体４２の回転角度に応じて光源２の調光レベルを変更する。筐体４の外周面４Ａには、調光レベルの目安値となる目盛り５が外周面４Ａの周方向Ｄ１に沿って設けられている。【選択図】図１
2018195463.tif 000002
【特許請求の範囲】
【請求項１】
光源と、
前記光源の調光制御を行う制御部と、
前記光源及び前記制御部を収容する円筒形状の筐体と、を備え、
前記筐体は、円筒形状の第１筒体と、円筒形状の第２筒体と、を有し、
前記第１筒体は、その軸方向における第１端に前記光源から発せられた光を出射する出射口を有し、
前記第２筒体は、前記第１筒体の前記第１端とは反対側の第２端において、前記第１筒体の中心軸を回転軸として前記第１筒体に回転可能に取り付けられ、
前記制御部は、前記第２筒体の回転角度に応じて前記光源の調光レベルを変更し、
前記筐体の外周面には、前記調光レベルの目安値となる目盛りが前記外周面の周方向に沿って設けられている
ことを特徴とする照明器具。
【請求項２】
前記第２筒体の外径は、前記第１筒体の外径に等しい、又は前記第１筒体の外径よりも大きい
ことを特徴とする請求項１に記載の照明器具。
【請求項３】
前記出射口に取り付けられて、前記光源の配光を制御する光学レンズを更に備え、
前記第２筒体の外径は、前記第１筒体の外径よりも小さく、かつ、前記光学レンズの直径よりも大きい
ことを特徴とする請求項１に記載の照明器具。
【請求項４】
前記目盛りは、前記第１筒体の外周面に設けられている
ことを特徴とする請求項１〜３のいずれか１項に記載の照明器具。
【請求項５】
前記目盛りは、前記第２筒体の外周面に設けられている
ことを特徴とする請求項１〜３のいずれか１項に記載の照明器具。
【請求項６】
前記軸方向と直交する軸を回転軸として前記筐体を回転可能に支持するアームを更に備え、
前記筐体の外周面は、前記周方向において、前記目盛りが始点から終点まで連続的に設けられている第１領域と、前記目盛りが設けられていない第２領域とを含み、
前記第１領域及び前記第２領域は、前記軸方向から見て、前記軸を回転軸とした前記筐体の回転方向に沿って向かい合うように配置されている
ことを特徴とする請求項１〜５のいずれか１項に記載の照明器具。
【請求項７】
前記第１筒体及び前記第２筒体のうちの一方は、その内周面において前記周方向に沿って延びているガイド溝を有し、
前記第１筒体及び前記第２筒体のうちの他方は、前記ガイド溝に対して前記周方向に沿ってスライド移動可能に嵌め込まれる爪部を有する
ことを特徴とする請求項１〜６のいずれか１項に記載の照明器具。
【請求項８】
前記爪部は、３つ以上設けられ、
前記３つ以上の爪部は、前記周方向に沿って等間隔に配置されている
ことを特徴とする請求項７に記載の照明器具。
【発明の詳細な説明】
【技術分野】
【０００１】
本発明は、一般に照明器具に関し、より詳細には、光源の調光レベルを変更可能な照明器具に関する。
【背景技術】
【０００２】
従来例として、特許文献１記載の調光器付スポットライト（照明器具）を例示する。この従来例では、調光装置を内蔵した調光ボックスが、スポットライトの灯体に取り付けられた自在金具と、天井等に取り付ける取付金具との間に設けられている。また、調光ボックスには、調光用つまみが設けられていて、調光用つまみを回転させることで光源の調光状態を調節できるようにしている。
【先行技術文献】
【特許文献】
【０００３】
【特許文献１】特開昭５９−１１９６０７号公報
【発明の概要】
【発明が解決しようとする課題】
【０００４】
特許文献１記載の従来例は、つまみが親指と人差し指とで摘むことができる程度に比較的小さいため、作業性が悪かった。また、つまみがスポットライトの灯体から離れた位置（天井側に近い位置）にあるため、調光状態（調光レベル）を調節する作業者は、スポットライトを下から見上げながら灯体よりも更に高い位置まで手を伸ばしてつまみを操作する必要があった。そのため、この点においても作業性が悪かった。
【０００５】
また、この種の照明器具は、例えば美術館等の比較的広い照明空間内において多数設置される場合がある。特許文献１記載の従来例では、作業者は、実際に光源から放射されている光を視認しながら調光用つまみを回転させて明るさを調節する必要がある。しかし、作業者が光の視認だけで調光のばらつきが生じないように複数の照明器具の調光状態を１つ１つ調節することは、非常に手間の掛かる作業であった。
【０００６】
本発明は上記事由に鑑みてなされ、調光レベルを調節する際の作業性の向上を図ることができる照明器具を提供することを目的とする。
【課題を解決するための手段】
【０００７】
本発明の一態様に係る照明器具は、光源と、前記光源の調光制御を行う制御部と、前記光源及び前記制御部を収容する円筒形状の筐体と、を備える。前記筐体は、円筒形状の第１筒体と、円筒形状の第２筒体と、を有する。前記第１筒体は、その軸方向における第１端に前記光源から発せられた光を出射する出射口を有する。前記第２筒体は、前記第１筒体の前記第１端とは反対側の第２端において、前記第１筒体の中心軸を回転軸として前記第１筒体に回転可能に取り付けられている。前記制御部は、前記第２筒体の回転角度に応じて前記光源の調光レベルを変更する。前記筐体の外周面には、前記調光レベルの目安値となる目盛りが前記外周面の周方向に沿って設けられている。
【発明の効果】
【０００８】
本発明は、調光レベルを調節する際の作業性の向上を図ることができる、という利点がある。
【図面の簡単な説明】
【０００９】
【図１】図１は、本発明の一実施形態に係る照明器具の後方から見た部分断面を含む斜視図である。
【図２】図２は、同上の照明器具が配線ダクトに取り付けられた状態における斜視図である。
【図３】図３は、同上の照明器具における模式的な回路ブロック図である。
【図４】図４は、同上の照明器具における要部の分解斜視図である。
【図５】図５は、同上の照明器具における第２筒体の裏側から見た斜視図である。
【図６】図６は、同上の照明器具における要部の平面図である。
【図７】図７は、同上の照明器具の要部を示し、図６のＡ−Ａ線断面図である。
【図８】図８は、同上の照明器具の運搬時又は保管時の状態における平面図である。
【発明を実施するための形態】
【００１０】
（１）概要
以下の実施形態は、本発明の様々な実施形態の一つに過ぎない。以下の実施形態は、本発明の目的を達成できれば、設計等に応じて種々の変更が可能である。
【００１１】
本実施形態の照明器具１は、一例として、図２に示すように配線ダクト１３に取り付けられるスポットライトとして構成されている。照明器具１は、図１に示すように、光源２と、光源２の調光制御を行う制御部３４（図３参照）と、光源２及び制御部３４を収容する円筒形状の筐体４と、を備えている。
【００１２】
筐体４は、図１及び図２に示すように、円筒形状の第１筒体４１と、円筒形状の第２筒体４２と、を有している。第１筒体４１は、その軸方向（図１では前後方向）における第１端（図１では前端）に光源２から発せられた光を出射する出射口４１０を有している。第２筒体４２は、第１筒体４１の第１端とは反対側の第２端（図１では後端）において、第１筒体４１の中心軸Ａ１を回転軸として第１筒体４１に回転可能に取り付けられている。
【００１３】
本実施形態では、第１筒体４１の中心軸Ａ１は、第２筒体４２の中心軸と一致している。すなわち、第１筒体４１と第２筒体４２とは互いの中心軸が一致するように組み付けられて、１つの円筒形状の筐体４を構成している。ここで言う「円筒形状」は、厳密な円筒形に限定されず、例えば、第１筒体４１又は第２筒体４２の外周面の一部が僅かに窪んでいてもよい。本実施形態では、第２筒体４２の外径は、図１及び図２に示すように、一例として第１筒体４１の外径と実質的に等しくなるように設定されている。
【００１４】
制御部３４は、第２筒体４２の回転角度に応じて光源２の調光レベルを変更するように構成されている。図１及び図２に示すように、筐体４の外周面４Ａには、調光レベルの目安値となる目盛り５が外周面４Ａの周方向Ｄ１に沿って設けられている。要するに、本実施形態では、第２筒体４２が、光源２の調光状態（調光レベル）を調節する作業者の操作を受け付ける操作部である。
【００１５】
この構成によれば、第１筒体４１とともに円筒形状の筐体４を構成する第２筒体４２が、調光状態を調節するための操作部である。そのため、特許文献１記載の従来例のようにつまみが親指と人差し指とで摘むことができる程度に比較的小さい場合に比べて作業性に優れている。また、特許文献１記載の従来例のようにつまみがスポットライトの灯体から離れた位置にある場合に比べても作業性に優れている。
【００１６】
また、この構成では、調光レベルの目安値となる目盛り５が外周面４Ａの周方向Ｄ１に沿って設けられている。そのため、例えば美術館、博物館等の比較的広い照明空間内において多数の照明器具１が設置される場合であっても、作業者が光の視認だけでなく目盛り５を目安に複数の照明器具１の調光状態を１つ１つ調節することができる。
【００１７】
特に、この構成のように、円筒形状の筐体４を構成する第２筒体４２自体が作業者の操作を受け付ける操作部であることから、目盛り５も筐体４の外周面４Ａという比較的大きな領域に設けることができる。言い換えると、目盛り５を比較的大きく表記することができ、作業者に対して視認し易い目盛り５として提供することができる。
【００１８】
したがって、本実施形態の照明器具１は、調光レベルを調節する際の作業性の向上を図ることができる。
【００１９】
（２）詳細
（２．１）全体構成
以下、本実施形態の照明器具１について、図１〜図８を参照して詳しく説明する。以下では、特に断りの無い限り、照明器具１の上下、左右、前後の方向を、図１に図示されている上下、左右、前後の矢印を用いて規定して説明する。これらの矢印は、単に説明を補助する目的で記載しているに過ぎず、実体を伴わない。また、上記の方向の規定は、本実施形態の照明器具１の使用形態を限定する趣旨ではない。
【００２０】
照明器具１は、図１に示すように、光源２、点灯装置３（図３参照）、及び筐体４と、を備えている。また、照明器具１は、図１に示すように、調光ボリューム（可変抵抗器）６（図４及び図７参照）、光学レンズ８、反射部材９、グレア抑制用のバッフル１０、アーム１１、及び落下防止用のワイヤー１２、プラグ１４等を、更に備えている。照明器具１は、図２に示すように、一例として美術館、博物館等の建物内における天井に設けられた配線ダクト１３に取り付けられるスポットライトとして構成されている。
【００２１】
（２．２）光源
光源２は、例えば、少なくとも１つのＬＥＤ（Light Emitting Diode）チップ、ＬＥＤチップが実装された矩形板状の実装基板、及び、これらを支持するホルダを有している。また、光源２は、例えば、ＬＥＤチップ等から発せられる熱を伝導させる熱伝導シート、及び放熱部材等を有している。
【００２２】
ＬＥＤチップは、例えば、青色光を放射する青色発光ダイオードである。また、ＬＥＤチップが実装されている実装基板の実装面は、ＬＥＤチップから放射される青色光を波長変換する蛍光物質（例えば黄色蛍光体）が混入された封止樹脂で封止されている。矩形板状の実装基板の実装面における対角の位置にある一対の角部には、カソード電極とアノード電極が形成されている。光源２は、点灯装置３から出力される直流電圧がアノード電極とカソード電極に印加されることにより、白色の照明光を放射するように構成される。
【００２３】
（２．３）筐体
（２．３．１）筐体の全体構成
筐体４は、図１及び図２に示すように、全体として円筒形状に形成されている。筐体４は、長尺の円筒形状に形成された第１筒体４１と、扁平な円筒形状に形成された第２筒体４２と、を有している。第１筒体４１の中心軸Ａ１は、第２筒体４２の中心軸と一致している。すなわち、第１筒体４１と第２筒体４２とは互いの中心軸が一致するように組み付けられて、１つの円筒形状の筐体４を構成している。
【００２４】
（２．３．２）第１筒体
第１筒体４１は、その軸方向における第１端（図１では前端）に出射口４１０を有している。第１筒体４１の第１端とは反対側の第２端（図１では後端）において、第２筒体４２が回転可能に取り付けられている。第１筒体４１は、例えばアルミダイカストによってそれぞれ形成された円筒形状の２部材（光源収容部４１１及び電源収容部４１２）が軸方向に沿って互いに組み付けられることで構成されている。光源収容部４１１の内周面には、ねじ孔を有した複数のリブが形成されていて、電源収容部４１２の内周面には貫通孔を有した複数のリブが形成されている。光源収容部４１１の一部（図１では後端部）が電源収容部４１２の開口から挿入された状態で、電源収容部４１２の貫通孔にねじを通し、更に、光源収容部４１１のねじ孔にねじ込むことで、光源収容部４１１及び電源収容部４１２が互いに連結されている。
【００２５】
光源収容部４１１は、その軸方向の一端（図１では前端）が開放された有底円筒形状に形成されていて、軸方向において、電源収容部４１２の長さ寸法の約半分程度の寸法を有している。光源収容部４１１は、光源２を内部に収容し、開放された一端にある出射口４１０から光源２から発せられた光を出射する。具体的には、光源収容部４１１は、出射口４１０と対向した底部４１１Ａ（図１参照）の一表面において、光源２のＬＥＤチップ及び実装基板を支持するホルダが嵌め込まれるための凹所を有している。光源２のホルダは、ねじ止め等により底部４１１Ａに固定されている。
【００２６】
また、光源収容部４１１は、図１に示すように、光学レンズ８、反射部材９及びバッフル１０を収容している。光源収容部４１１内では、光源２から出射口４１０にわたって、反射部材９、光学レンズ８、バッフル１０が光軸Ｌ１に沿って順に配置されている。光軸Ｌ１は、第１筒体４１の中心軸Ａ１と一致している。光源収容部４１１の内周面には、反射部材９及びバッフル１０の外周面に設けられた突起が嵌まるための凹部が周方向に沿って形成されている。
【００２７】
電源収容部４１２は、その軸方向の両端が開放された円筒形状に形成されている。電源収容部４１２は、その軸方向における一端側（図１では前端側）において、光源収容部４１１に連結され、軸方向における他端側（図１では後端側）において、第２筒体４２が回転可能に取り付けられている。
【００２８】
電源収容部４１２は、点灯装置３及び調光ボリューム６を内部に収容している。具体的には、電源収容部４１２は、図１に示すように、点灯装置３の後述する種々の回路を構成する複数の電子部品３００が実装されて軸方向に細長く延びている略矩形板状の回路基板３０１と、回路基板３０１を保持する金属製の保持板３０２とを収容している。保持板３０２は、光源収容部４１１の底部４１１Ａにねじ止めにより固定されている。光源収容部４１１の底部４１１Ａは、厚み方向に貫通している孔を有していて、点灯装置３の出力端に接続されている電線３０３は、図１に示すように、当該孔を通って光源２と電気的に接続されている。
【００２９】
電源収容部４１２は、図７に示すように、調光ボリューム６が一表面（第２筒体４２と対向する面）に実装されたボリューム基板６０を収容している。ボリューム基板６０は、絶縁シート等を間に介して保持板３にねじ６１により固定されている。調光ボリューム６は、点灯装置３（の後述する制御部３４）と電気的に接続されている。
【００３０】
また、電源収容部４１２は、図４及び図７に示すように、規制プレート６３を収容している。規制プレート６３は、金属材により略円板状に形成されている。規制プレート６３は、ボリューム基板６０と第２筒体４２との間に配置されるように収容されている。電源収容部４１２の内周面には、ねじ孔を有した２つのリブが設けられていて、規制プレート６３は、当該２つのリブに対してそれぞれ２本のねじ６４（図４参照）により固定されている。
【００３１】
規制プレート６３は、図４に示すように、調光ボリューム６の軸部６２を挿通するための正方形状の窓孔６５を中央に有している。規制プレート６３は、その一部を第２筒体４２に近づく方向に切り起こすことで形成された一対のストッパー６６を有している。各ストッパー６６は、矩形板状に形成されている。一対のストッパー６６は、第２筒体４２の後述する突起片４２４と接触することで、第２筒体４２の回転可能な角度範囲を所定の範囲内（例えば２５０°の範囲内）に規制する。また、規制プレート６３とボリューム基板６０との間には、絶縁シート６７（図４参照）が配置されている。絶縁シート６７は、その中央に円形状の貫通孔６７０を有している。調光ボリューム６の軸部６２は、貫通孔６７０を通り、更に規制プレート６３の窓孔６５を通って第２筒体４２に向かって突出している。
【００３２】
電源収容部４１２は、図１及び図２に示すように、アーム１１の一対の支持部１１０Ａ，１１０Ｂの先端部分がそれぞれ取り付けられる一対の取付部４３を有している。各取付部４３は、電源収容部４１２の内部に繋がる貫通孔４３０（図１参照）を有している。一対の取付部４３は、電源収容部４１２の外周面４１２Ａにおいて、左右方向における両端の領域にそれぞれ配置されている。各取付部４３は、左右方向から見たときに、中心軸Ａ１に沿った方向（図１では前後方向）における電源収容部４１２の略中央にある。また、各取付部４３は、左右方向から見たときに、中心軸Ａ１と左右方向とに直交する方向（図１では上下方向）における電源収容部４１２の略中央にある。電源収容部４１２は、一対の取付部４３を介してアーム１１によって軸Ｌ２（図１参照）を回転軸として回転可能に支持されている。図１では、軸Ｌ２は、左右方向に平行である。
【００３３】
ここで、筐体４の外周面４Ａには、図１、図２及び図６に示すように、光源２の調光レベルの目安値となる目盛り５が設けられている。本実施形態では、一例として、目盛り５は、第１筒体４１の外周面、すなわち、電源収容部４１２の外周面４１２Ａにおいて、周方向Ｄ１に沿って設けられている。目盛り５は、外周面４１２Ａにおける第２筒体４２に隣接した領域に配置されている。
【００３４】
目盛り５は、印刷等の手段によって形成されている。あるいは、予め目盛り５が印刷されているシールが外周面４１２Ａに張り付けられてもよい。また、目盛り５は、外周面４１２Ａにエッチングにより凹凸を形成して凹部に塗料を流し込んで形成されてもよい。
【００３５】
目盛り５は、図１及び図６に示すように、電源収容部４１２の外周面４１２Ａにおける第２筒体４２に隣接した周方向Ｄ１に沿う領域のうち、第１領域Ｂ１に設けられている。ただし、目盛り５は、外周面４１２Ａにおける第２筒体４２に隣接した周方向Ｄ１に沿う領域のうち、第１領域Ｂ１以外の領域である第２領域Ｂ２には設けられていない。
【００３６】
目盛り５は、図６に示すように、「●ＯＦＦ」の黒塗りの丸印が表記されている位置（以下、単に「ＯＦＦ」と呼ぶ）を始点とし、「ＯＦＦ」から僅かに距離を空けて複数の目盛線が連続的に表記されている。目盛り５における隣り合う２本の目盛線の目幅が、調光レベルの１［％］分に相当する。調光レベル１０［％］ごとの目盛線の下（図１では目盛線の前）に数値（「１」〜「１０」までの数値）が記されている。例えば、数値「２」の記された目盛線は、調光レベル２０［％］に相当する目安値となる。目盛り５は、図６に示すように、「１０」が表記されている目盛線を終点としている。要するに、目盛り５は、「ＯＦＦ」の位置から始まり調光レベルの下限値である５［％］から調光レベルの上限値である１００［％］までの目安値を示している。
【００３７】
ここで、第１領域Ｂ１及び第２領域Ｂ２は、中心軸Ａ１に沿った方向（図１では前後方向）から見て、軸Ｌ２を回転軸とした筐体４の回転方向Ｃ１（図１参照）に沿って向かい合うように配置されている。要するに、配線ダクト１３に取り付けられる照明器具１の筐体４を、図１又は図２に示すように、第１領域Ｂ１が概ね鉛直下方向を向くように、アーム１１に対して回転させることができる。この時、目盛り５が配されていない第２領域Ｂ２は、概ね鉛直上方向（つまり天井側）を向くことになる。そのため、光源２の調光状態を調節する作業者は、配線ダクト１３に取り付けられる照明器具１を下から見上げたときに、第１領域Ｂ１における目盛り５を容易に視認することができる。なお、図１及び図６において、第１領域Ｂ１及び第２領域Ｂ２を示す点線は、説明を分かり易くするために図示されているものであって、実体を伴うものではない。
【００３８】
また、電源収容部４１２は、図４及び図７に示すように、その内周面において、周方向Ｄ１に沿って延びているガイド溝４１３を有している。ガイド溝４１３は、電源収容部４１２の内周面における第２筒体４２に隣接した領域に形成されている。つまり、ガイド溝４１３は、概ね第１領域Ｂ１及び第２領域Ｂ２の裏側の領域に形成されている。ガイド溝４１３は、後述する第２筒体４２の４つの爪部４２１が嵌め込まれるための溝である。
【００３９】
（２．３．３）第２筒体
第２筒体４２は、図１、図２、図４〜図８に示すように、その軸方向（図１では前後方向）における一面（図１では前面）が開放された扁平な円筒形状に形成されている。第２筒体４２の外径は、一例として第１筒体４１の外径と実質的に等しくなるように設定されている。また、第２筒体４２は、一例としてその軸方向における寸法が第１筒体４１の軸方向における寸法に比べて十分に小さくなるように設定されている。第２筒体４２は、例えばＰＢＴ（Polybutylene terephthalate）樹脂により形成されている。第２筒体４２は、第１筒体４１の中心軸Ａ１を回転軸として第１筒体４１に対して回転可能に取り付けられている。
【００４０】
第２筒体４２は、図２及び図６に示すように、その外周面４２Ａに、指示線４２０を有している。指示線４２０は、例えば、細長い溝を設けてその溝内に塗料を流し込んで形成されている。
【００４１】
第２筒体４２は、図５に示すように、開放された一面側の周縁において、４つの爪部４２１を有している。４つの爪部４２１は、第２筒体４２の周方向に沿って等間隔に配置されている。各爪部４２１の先端は、第２筒体４２の径方向に沿って軸から離れる向きに突出している。４つの爪部４２１は、電源収容部４１２のガイド溝４１３に対して周方向Ｄ１に沿ってスライド移動可能に嵌め込まれている。つまり、各爪部４２１の突出する先端の前後方向における寸法は、ガイド溝４１３の前後方向における幅寸法よりも僅かに小さく設定されている。更に、各爪部４２１の突出する先端は、第２筒体４２の軸方向から見て、周方向Ｄ１と平行するように円弧状に湾曲している。
【００４２】
このように、４つの爪部４２１がガイド溝４１３にスライド移動可能に嵌め込まれていることで、中心軸Ａ１を回転軸として、第１筒体４１に対して第２筒体４２を滑らかに回転させることができ、第２筒体４２に対する操作性の向上を図ることができる。また、４つの爪部４２１が等間隔に設けられているため、爪部４２１の数が例えば１つ又は２つの場合に比べて、第１筒体４１に対する第２筒体４２のより安定した回転操作を提供することができる。また、第１筒体４１に対する第２筒体４２の脱落をより低減することができる。
【００４３】
第２筒体４２は、図５に示すように、その内底面の中心部において、軸固定部４２２を更に有している。軸固定部４２２は、調光ボリューム６の軸部６２を受けるための部材である。軸固定部４２２は、内底面から筒状に突出し、その先端に、軸固定部４２２の軸方向から見て略Ｄ字形状に窪んだ穴を有している。調光ボリューム６のＤ字状にカットされた軸部６２が、軸固定部４２２のＤ字形状の穴内に嵌め込まれることで、第２筒体４２が軸部６２に固定されている。したがって、第２筒体４２の回転に伴い、軸固定部４２２に嵌め込まれている調光ボリューム６の軸部６２も回転する。
【００４４】
更に、第２筒体４２は、その内底面において、軸固定部４２２を補強する補強リブ４２３の外側に、突起片４２４を有している。突起片４２４は、略台形の板状に形成されている。突起片４２４は、第１筒体４１に近づく方向に突出している。突起片４２４は、第２筒体４２が回転操作を受けたときに、規制プレート６３の一対のストッパー６６の一方に接触することで、第２筒体４２の更なる回転が規制される。言い換えると、指示線４２０が目盛り５の「ＯＦＦ」と対向する位置にあるときに、突起片４２４が一方のストッパー６６と接触するように、突起片４２４及びストッパー６６の位置関係が規定されている。また、指示線４２０が目盛り５の数値「１０」が記された目盛線と対向する位置にあるときに、突起片４２４が他方のストッパー６６と接触するように、突起片４２４及びストッパー６６の位置関係が規定されている。
【００４５】
第１筒体４１及び第２筒体４２の組み立てに関しては、調光ボリューム６のＤ字状の軸部６２をＤ字状の軸固定部４２２の穴に合わせつつ、４つの爪部４２１をそれぞれ中心軸Ａ１に向かって弾性変形させて第１筒体４１内へ挿入すればよい。軸部６２が軸固定部４２２の穴に挿入され、かつ、弾性変形した４つの爪部４２１がガイド溝４１３に到達することで弾性復帰してガイド溝４１３内に入り込む。その結果、第２筒体４２が第１筒体４１に取り付けられる。
【００４６】
（２．４）光学レンズ、反射部材及びバッフル
光学レンズ８は、出射口４１０付近において、光源２の配光を制御するように構成されている。光学レンズ８は、透光性を有し、図１に示すように略円板状に形成されている。光学レンズ８には、光源２からの直接光、及び反射部材９からの反射光が入射される。光学レンズ８の軸方向は、光軸Ｌ１と平行である。光学レンズ８は、例えば、アクリル樹脂、ポリカーボネート樹脂等の透明樹脂材料、又はガラス等の透明材料によって形成されている。光学レンズ８は、図１に示すように、一例としてフレネルレンズである。光学レンズ８は、反射部材９からの光を集光して効率良く出射する。
【００４７】
反射部材９は、図１に示すように、光源２から放射された光を、光学レンズ８に向けて反射させるように構成されている。反射部材９は、例えばＰＢＴ樹脂等の硬質の白色樹脂材料から形成されている。反射部材９の内側面には、アルミニウム等の金属膜が設けられてもよい。
【００４８】
反射部材９は、その軸方向における両端が開口した略円筒形状に形成されている。反射部材９の軸方向は、光軸Ｌ１と平行である。反射部材９は、光源２から放射された光が入射する第１端部（図１では後端部）と、光学レンズ８に向かって光が出射する第２端部（図１では前端部）と、を有している。光学レンズ８は、反射部材９の第２端部の周縁において第２端部を覆うように取り付けられている。
【００４９】
反射部材９は、第１端部から第２端部に向かって内径が漸次大きくなるように形成されている。要するに、第２端部の内径は、第１端部の内径よりも大きい。反射部材９は、上述のような構造を有することで、光源２から放射された光を光学レンズ８に向けて効率良く反射する。
【００５０】
バッフル１０は、図１に示すように、両端が開口した略円筒形状に形成されている。バッフル１０の軸方向は、光軸Ｌ１と平行である。バッフル１０は、例えば、ポリカーボネート又はＰＢＴ等の樹脂材料によって形成されている。バッフル１０の内側面（光軸Ｌ１側の面）は、黒色のグレア抑制面として形成されている。グレア抑制面は、例えば、バッフル１０の内側面を黒色に塗装して艶消し処理を施すことにより実現される。あるいは、グレア抑制面は、黒色に塗装した面、又は、黒色の部材からなる面に、シボ加工を施すことによって実現されてもよい。本実施形態のバッフル１０は、図１に示すように、その内側面に、グレアをさらに抑制するための複数の段部を有している。
【００５１】
（２．５）点灯装置
点灯装置３は、図３に示すように、例えば、整流回路３０と、電力変換回路３１と、制御回路３２と、定電流回路３３と、制御部３４と、を備えている。
【００５２】
整流回路３０は、ダイオードブリッジで構成されている。整流回路３０の交流入力端に交流電源７が電気的に接続されている。整流回路３０は、交流入力端に入力される交流電圧を全波整流し、整流後の脈流電圧（入力電圧Ｖ１）を脈流出力端から出力する。
【００５３】
電力変換回路３１は、例えば昇降圧チョッパとも呼ばれるバックブーストコンバータであって、整流回路３０の脈流出力端間から出力される入力電圧Ｖ１を昇圧又は降圧して所望の電圧（出力電圧Ｖ２）に変換するように構成されている。電力変換回路３１は、スイッチング素子、インダクタ、ダイオード及び平滑コンデンサ等を有している。
【００５４】
制御回路３２は、例えば、コンバータ用のドライバＩＣ（Integrated Circuit）で構成されている。電力変換回路３１のスイッチング素子は、制御回路３２によってＰＷＭ（Pulse Width Modulation）制御される。具体的には、制御回路３２は、目標値に一致させるように駆動信号のデューティ比を調整して、駆動信号を電力変換回路３１のスイッチング素子に出力する。制御回路３２は、制御部３４から制御回路３２を待機状態にするための指示信号を受け取ると、駆動信号のデューティ比を０［％］にすることでスイッチング素子を駆動させない（オフ状態に維持する）。スイッチング素子が駆動されなければ、平滑コンデンサの充電電荷が放電されるにつれて電力変換回路３１の出力電圧Ｖ２が低下する。
【００５５】
定電流回路３３は、光源２のＬＥＤチップに供給される負荷電流Ｉ１を定電流化するように構成されている。定電流回路３３は、負荷電流Ｉ１の大きさを検出して、負荷電流Ｉ１の大きさを目標値に一致させるように、その負荷電流Ｉ１が流れる電流経路に設けられたトランジスタ（例えば、エンハンスメント形のｎチャンネルＭＯＳＦＥＴ）を駆動する。
【００５６】
制御部３４は、例えば、マイクロコントローラで構成されている。制御部３４は、第２筒体４２の回転角度（回転位置）に応じて光源２の調光レベルを変更するように構成されている。回転角度は、第２筒体４２の指示線４２０が「ＯＦＦ」の位置にあるときを基準とした角度である。制御部３４は、調光ボリューム６の抵抗値に対応した電圧信号を受け取るための入力端子を有している。具体的には、図３に示すように、調光ボリューム６（可変抵抗器）及び固定抵抗器１６から構成された直列回路の両端には定電圧Ｖｃｃが印加されていて、制御部３４は、入力端子において、調光ボリューム６で分圧された電圧を受け取る。
【００５７】
また、制御部３４は、駆動信号を定電流回路３３へ出力するための第１出力端子を有している。制御部３４は、調光ボリューム６の抵抗値に対応する調光レベルをデータとしてメモリ内に記憶している。制御部３４は、調光レベルが高くなるほどデューティ比が大きくなるＰＷＭ信号として駆動信号を生成し、定電流回路３３へ出力する。また、制御部３４は、制御回路３２へ待機状態にするための指示信号を出力するための第２出力端子を有している。
【００５８】
制御部３４は、入力端子に入力される電圧信号に対応した調光レベルが１００［％］から下限値（例えば、５［％］）までの範囲であれば、調光レベルに対応したデューティ比を有するＰＷＭ信号（駆動信号）を第１出力端子から出力する。つまり、第２筒体４２の指示線４２０が、調光レベルの目安値となる目盛り５において、５［％］に相当する目盛線から１００［％］に相当する目盛線の間に範囲にある場合に、駆動信号が第１出力端子から出力される。定電流回路３３は、負荷電流Ｉ１の検出電圧と、駆動信号（のデューティ比に対応した電圧）との差を小さくするようにトランジスタを駆動することで負荷電流Ｉ１を目標値に一致させる。
【００５９】
また、制御部３４は、入力端子に入力される電圧信号に対応した調光レベルが０［％］、すなわち第２筒体４２の指示線４２０が目盛り５の「ＯＦＦ」の位置に合わせられると、定電流回路３３を通じて負荷電流Ｉ１をゼロとし、光源２を消灯させる。さらに、制御部３４は、第２出力端子から制御回路３２に対して待機状態にするための指示信号を出力する。
【００６０】
（２．６）アーム、プラグ及びワイヤー
アーム１１は、図１に示すように、第１筒体４１の軸方向と直交する軸Ｌ２を回転軸として第１筒体４１を回転可能に支持する。アーム１１は、例えばアルミダイカストによって形成されている。アーム１１は、細長い板状の一対の支持部と、一対の支持部の一端部同士を連結する角筒状の連結部１１１と、を有している。言い換えると、アーム１１は、全体として、略Ｕ字形状に形成されている。ここでは、一対の支持部のうちの一方（図１では左方）の支持部を「支持部１１０Ａ」と呼び、他方（図１では右方）の支持部を「支持部１１０Ｂ」と呼ぶ。
【００６１】
支持部１１０Ａ，１１０Ｂの各々は、その先端部分（図１の下端部分）において、互いに近づく方向に突出した突起を有している。これらの突起は、対応する取付部４３の貫通孔４３０内に回転可能に収容されている。連結部１１１及び支持部１１０Ａは、それらの内部において、プラグ１４に接続されている電線１５（図１参照）が通るための細長い導通孔を有している。電線１５は、連結部１１１及び支持部１１０Ａの導通孔を通って、取付部４３の貫通孔４３０から電源収容部４１２の内部に引き込まれ、点灯装置３の整流回路３０の交流入力端と電気的に接続されている。
【００６２】
一方、支持部１１０Ｂは、図２及び図８に示すように、その先端部分（図２の下端部分）につまみねじ１１２を有している。つまみねじ１１２は、段付きねじであり、ねじ先が対応する取付部４３の貫通孔４３０を通り、更に電源収容部４１２の内部にあるナットにねじ込まれている。
【００６３】
アーム１１は、上述のような構成を有していることで、アーム１１に対して筐体４を回転させることで、例えば鉛直方向に対する光源２の照射方向（光軸Ｌ１の方向）の角度を任意に変更することができる。
【００６４】
ところで、図８は、照明器具１の運搬時又は保管時における状態の平面図を示している。すなわち、第１筒体４１の中心軸Ａ１がアーム１１の支持部１１０Ａ，１１０Ｂの長手方向に沿うように筐体４をアーム１１に対して回転させることで、照明器具１の全体をコンパクトすることができる。言い換えれば、照明器具１をこのような状態へ変形できるように、第１筒体４１と第２筒体４２の外径は、支持部１１０Ａ，１１０Ｂ間の左右方向における距離よりも小さく設定されている。また、第２筒体４２が連結部１１１と接触しないように、支持部１１０Ａ，１１０Ｂの長手方向における寸法、及び軸Ｌ２から第２筒体４２までの寸法が設定されている。
【００６５】
プラグ１４は、図１に示すように、アーム１１の連結部１１１の上端面における左右方向の中央に取り付けられている。プラグ１４は、その上端において、外部に露出する一対の端子１４０を有している。プラグ１４が配線ダクト１３に取り付けられることで、端子１４０が交流電源７と電気的に接続されて、更に、点灯装置３が、プラグ１４及び電線１５を介して交流電源７と電気的に接続される。
【００６６】
落下防止用のワイヤー１２は、その一端に、例えば圧着端子を有している。ワイヤー１２は、圧着端子を介してアーム１１の連結部１１１にねじ止めされている。また、ワイヤー１２の他端には、ループ加工が施されていて、留め具のフックが引っ掛けられている。ワイヤー１２は、留め具を介して、配線ダクト１３に固定される。
【００６７】
（２．７）調光状態の調節作業
以下、光源２の調光状態の調節作業について、図２を参照しながら簡単に説明する。以下の説明では、配線ダクト１３に取り付けられた状態にある照明器具１の筐体４が、予めアーム１１に対して回転した状態、すなわち筐体４の軸方向が鉛直方向に対して傾斜していることを想定する。この時、目盛り５が設けられている第１領域Ｂ１が略鉛直下方向を向き、目盛り５が設けられていない第２領域Ｂ２が略鉛直上方向を向いた状態にあることを想定する。
【００６８】
まず、光源２の調光状態を調節する作業者（以下、単に「作業者」と呼ぶ）は、照明器具１を下から見上げながら、「ＯＦＦ」の位置にある第２筒体４２の指示線４２０を確認する。すなわち、照明器具１の光源２は、図２の例では、消灯した状態にある。作業者は、図２に示すように、第２筒体４２の外周面４２Ａに、例えば人差し指の腹を当てて、第２筒体４２が第１筒体４１に対して時計回りに回転するように指を下方へ移動させる。指示線４２０が調光レベルの下限値である５［％］の目安値を示す、最初の目盛線に到達すると、光源２が光照射を開始する。そこから更に第２筒体４２を指の腹で回転させると、光源２の明るさが徐々に増加する。
【００６９】
例えば、この照明器具１の調光レベルを５０［％］に設定する場合には、作業者は、数値「５」の記されている目盛線に指示線４２０を合わせればよい。また、照明器具１の調光レベルを１００［％］（全点灯）に設定する場合には、数値「１０」の記されている目盛線に指示線４２０を合わせればよい。ただし、指示線４２０が数値「１０」の記されている目盛線に到達すると、第２筒体４２の突起片４２４がストッパー６６に接触するため、それ以上第２筒体４２が時計回りに回転出来ないように規制される。
【００７０】
このように、円筒形状の筐体４を構成する第２筒体４２自体が作業者の操作を受け付ける操作部であることから、特許文献１の従来例のつまみのように、親指と人差し指とで摘むことができる程度に比較的小さい場合に比べて、作業性に優れていると言える。特に、指一本で（指の腹を当てて）操作可能であるため操作が楽である。また、特許文献１記載の従来例のようにつまみがスポットライトの灯体から離れた位置にある場合に比べても作業性に優れている。
【００７１】
また、第２筒体４２及び目盛り５が出射口４１０とは反対側に配置されているため、作業者が第２筒体４２を操作する際に光源２の光を直接目視してしまう可能性を低減することができる。
【００７２】
また、調光レベルの目安値となる目盛り５が外周面４Ａの周方向Ｄ１に沿って設けられている。そのため、例えば美術館、博物館等の比較的広い照明空間内において多数の照明器具１が設置される場合であっても、作業者が光の視認だけでなく目盛り５を目安に複数の照明器具１の調光状態を１つ１つ調節することができる。
【００７３】
例えば、隣接している３つの照明器具１を同じ調光レベルに設定する場合、特許文献１の従来例のように光源の明るさだけを視認して設定すると、３つの照明器具１間で調光レベルのばらつきが生じることなく正確に調節することは容易ではない。照明器具１が例えば居住空間のような場所に設置されている場合には、調光レベルの正確な調節が求められる機会は少ないが、美術館内における絵画等へ照明光を当てる場合、調光レベルの正確な調節が求められる。この点で、指示線４２０を目盛り５の同じ目盛線に設定することで、容易に調光することができる。
【００７４】
特に、目盛り５も筐体４の外周面４Ａ（本実施形態では、電源収容部４１２の外周面４１２Ａ）という比較的大きな領域に設けることができる。言い換えると、目盛り５を比較的大きく表記することができ、作業者に対して視認し易い目盛り５として提供することができる。
【００７５】
したがって、本実施形態の照明器具１は、調光する（調光状態を調節する）際の作業性の向上を図ることができる。
【００７６】
（３）変形例
以下に、いくつかの変形例について列記する。以下では上述した実施形態を「基本例」と呼ぶ。以下に説明する変形例も、上述した基本例と適宜組み合わせて適用可能である。
【００７７】
基本例では、第２筒体４２の外径は、第１筒体４１の外径に等しく設定されているが、この限りではない。例えば、第２筒体４２の外径は、第１筒体４１の外径よりも大きく設定されていてもよい。この場合、図８に示すような照明器具１の運搬時又は保管時における状態を考慮すれば、第２筒体４２の外径は、アーム１１の支持部１１０Ａ，１１０Ｂ間の左右方向における距離よりも小さく設定されていることが好ましい。また、例えば、第２筒体４２の外径は、第１筒体４１の外径よりも小さく設定されていてもよい。この場合、第２筒体４２の外径が極端に小さくなってしまうと、径方向における目盛り５と指示線４２０との距離が大きくなってしまい、調光レベルを調節する際の作業性が低下してしまうため、例えば、光学レンズ８の直径よりも大きいことが好ましい。ただし、作業性及び筐体４の意匠性（見栄え）の両方を考慮すれば、基本例のように第２筒体４２の外径は、第１筒体４１の外径に等しく設定されていることが望ましい。
【００７８】
基本例では、目盛り５が第１筒体４１に設けられ、指示線４２０が第２筒体４２に設けられているが、この限りではない。例えば、目盛り５が第２筒体４２に設けられ、指示線４２０が第１筒体４１に設けられていてもよい。ただし、目盛り５を第２筒体４２に設ける場合、第２筒体４２の軸方向に対する寸法が大きくなってしまう可能性がある。したがって、基本例の方が、第２筒体４２の軸方向に対する寸法を小さくすることができるため望ましいと言える。
【００７９】
基本例では、爪部４２１及びガイド溝４１３が設けられているが、これらは照明器具１の必須の構成要素ではなく、設けられていなくてもよい。この場合、調光ボリューム６のＤ字状にカットされた軸部６２が、軸固定部４２２のＤ字形状の穴内に嵌め込まれることでのみ、第２筒体４２が第１筒体４１に対して固定されることになる。ただし、第２筒体４２の脱落の低減、及び第２筒体４２の回転の安定化を図ることを考慮すれば、基本例のように爪部４２１及びガイド溝４１３が設けられていることが望ましい。
【００８０】
基本例では、爪部４２１が第２筒体４２に設けられ、爪部４２１が嵌め込まれるガイド溝４１３が第１筒体４１に設けられているが、この限りではない。爪部が第１筒体４１に設けられ、当該爪部が嵌め込まれるガイド溝が第２筒体４２に設けられていてもよい。ただし、第１筒体４１及び第２筒体４２の組み立て作業性及び材質等を考慮すれば、基本例の方が望ましい。
【００８１】
また、基本例では、爪部４２１の数が４つであるが、この限りではない。爪部４２１の数は、１つ、２つ、３つ又は５つ以上であってもよい。また、爪部４２１の数が１つの場合、その１つの爪部４２１が第２筒体４２の周縁の全周にわたって形成されていてもよい。ただし、この場合、製造時に爪部４２１を中心軸Ａ１に向かって弾性変形させてガイド溝４１３に嵌め込むことが困難であるため、第１筒体４１の電源収容部４１２は、中心軸Ａ１に沿って半分に分割された半円筒状の２部材から構成されることが好ましい。
【００８２】
（４）利点
以上説明したように、第１の態様に係る照明器具１は、光源２と、光源２の調光制御を行う制御部３４と、光源２及び制御部３４を収容する円筒形状の筐体４と、を備える。筐体４は、円筒形状の第１筒体４１と、円筒形状の第２筒体４２と、を有する。第１筒体４１は、その軸方向における第１端に光源２から発せられた光を出射する出射口４１０を有する。第２筒体４２は、第１筒体４１の第１端とは反対側の第２端において、第１筒体４１の中心軸Ａ１を回転軸として第１筒体４１に回転可能に取り付けられている。制御部３４は、第２筒体４２の回転角度に応じて光源２の調光レベルを変更する。筐体４の外周面４Ａには、調光レベルの目安値となる目盛り５が外周面４Ａの周方向Ｄ１に沿って設けられている。第１の態様によれば、調光レベルを調節する際の作業性の向上を図ることができる。
【００８３】
第２の態様に係る照明器具１に関して、第１の態様において、第２筒体４２の外径は、第１筒体４１の外径に等しい、又は第１筒体４１の外径よりも大きいことが好ましい。第２の態様によれば、第２筒体４２に対する操作性の向上を図ることができる。特に、第２筒体４２の外径が第１筒体４１の外径に等しい場合、第１筒体４１及び第２筒体４２を一体感のある筐体４として提供することができ、照明器具１全体としての意匠性（見栄え）も高めることができる。
【００８４】
第３の態様に係る照明器具１は、第１の態様において、出射口４１０に取り付けられて、光源２の配光を制御する光学レンズ８を更に備えることが好ましい。第２筒体４２の外径は、第１筒体４１の外径よりも小さく、かつ、光学レンズ８の直径よりも大きいことが好ましい。第３の態様によれば、光学レンズ８を通じて配光制御を行うことができ、更に、第２筒体４２に対する操作性の向上を図ることができる。
【００８５】
第４の態様に係る照明器具１に関して、第１の態様〜第３の態様のいずれか１つにおいて、目盛り５は、第１筒体４１の外周面（電源収容部４１２の外周面４１２Ａ）に設けられていることが好ましい。第４の態様によれば、目盛り５が第２筒体４２の外周面４２Ａに設けられている場合に比べて、目盛り５を比較的大きく表記することができ、目盛り５に対する視認性を高めることができる。また、目盛り５が第２筒体４２の外周面４２Ａに設けられている場合に比べて、第２筒体４２の軸方向に対する寸法を小さくすることができる。
【００８６】
第５の態様に係る照明器具１に関して、第１の態様〜第３の態様のいずれか１つにおいて、目盛り５は、第２筒体４２の外周面４２Ａに設けられていることが好ましい。第５の態様によれば、目盛り５が第１筒体４１の外周面（電源収容部４１２の外周面４１２Ａ）に設けられている場合に比べて、第１筒体４１の意匠性（見栄え）を高めることができる。
【００８７】
第６の態様に係る照明器具１は、第１の態様〜第５の態様のいずれか１つにおいて、上記軸方向と直交する軸Ｌ２を回転軸として筐体４を回転可能に支持するアーム１１を更に備えることが好ましい。筐体４の外周面４Ａは、周方向Ｄ１において、目盛り５が始点から終点まで連続的に設けられている第１領域Ｂ１と、目盛り５が設けられていない第２領域Ｂ２とを含みことが好ましい。第１領域Ｂ１及び第２領域Ｂ２は、上記軸方向から見て、軸Ｌ２を回転軸とした筐体４の回転方向Ｃ１に沿って向かい合うように配置されていることが好ましい。
【００８８】
第６の態様によれば、アーム１１に対して筐体４を回転させることで、例えば鉛直方向に対する光源２の照射方向（光軸Ｌ１の方向）の角度を任意に変更することができる。更に、筐体４を回転させることで、目盛り５が設けられている第１領域Ｂ１が鉛直下方向を向くと共に、目盛り５が設けられていない第２領域Ｂ２が鉛直上方向を向くように調整することができる。そのため、光源２の調光状態を調節する作業者は、例えば、天井の配線ダクト１３に取り付けられる照明器具１を下から見上げたときに、目盛り５を容易に視認することができる。
【００８９】
第７の態様に係る照明器具１に関して、第１の態様〜第６の態様のいずれか１つにおいて、第１筒体４１及び第２筒体４２のうちの一方は、その内周面において周方向Ｄ１に沿って延びているガイド溝（第１筒体４１のガイド溝４１３）を有することが好ましい。第１筒体４１及び第２筒体４２のうちの他方は、上記ガイド溝に対して周方向Ｄ１に沿ってスライド移動可能に嵌め込まれる爪部（第２筒体４２の爪部４２１）を有することが好ましい。第７の態様によれば、第１筒体４１に対して第２筒体４２を滑らかに回転させることができ、第２筒体４２に対する操作性の向上を図ることができる。
【００９０】
第８の態様に係る照明器具１に関して、第７の態様において、上記爪部（第２筒体４２の爪部４２１）は、３つ以上設けられていることが好ましい。この場合、上記３つ以上の爪部は、周方向Ｄ１に沿って等間隔に配置されていることが好ましい。第８の態様によれば、第１筒体４１に対する第２筒体４２のより安定した回転操作を提供することができる。また、第１筒体４１に対する第２筒体４２の脱落をより低減することができる。
【符号の説明】
【００９１】
１  照明器具
２  光源
３４  制御部
４  筐体
４Ａ  外周面
４１  第１筒体
４１０  出射口
４１３  ガイド溝
４２  第２筒体
４２Ａ  外周面
４２１  爪部
５  目盛り
８  光学レンズ
１１  アーム
Ａ１  中心軸
Ｂ１  第１領域
Ｂ２  第２領域
Ｃ１  回転方向
Ｄ１  周方向
Ｌ２  軸
【図１】
2018195463.tif 000003
【図２】
2018195463.tif 000004
【図３】
2018195463.tif 000005
【図４】
2018195463.tif 000006
【図５】
2018195463.tif 000007
【図６】
2018195463.tif 000008
【図７】
2018195463.tif 000009
【図８】
2018195463.tif 000010